(57)【要約】【課題】ＳＥＣＡＭ映像信号に含まれる色差信号が図１３に示すような信号である場合においても良い画質効果を得る。【解決手段】色復調部は、ＳＥＣＡＭ映像信号に含まれる搬送色差信号を復調し、各ラインについて、２種の色差信号ＤＢとＤＲのいずれかの信号を得る。同時化部１３０は、色復調部から供給された注目ラインｎの信号ＤＲｉ（ｎ）に対して、該信号ＤＲｉ（ｎ）の２ライン後の信号ＤＲｉ（ｎ＋２）との類似度を示しうる第１の指標値と、該信号ＤＲｉ（ｎ）の２ライン前の信号ＤＲｉ（ｎ−２）との類似度を示しうる第２の指標値とを夫々求める。そして、第１の指標値と第２の指標値の大小関係に基づいて、１ライン後の信号ＤＢｉ（ｎ＋１）と１ライン前の信号ＤＢｉ（ｎ−１）のいずれか１つの選択をして、注目ラインｎの不足している信号ＤＢｏ（ｎ）として出力する。【選択図】図２
2013090287.tif 000002
【特許請求の範囲】
【請求項１】
２種の色差信号が線順次方式で伝送され、注目ラインｎの信号Ｃ（ｎ）が前記２種の色差信号の片方である映像信号における前記注目ラインの信号Ｃ（ｎ）に対して、該信号Ｃ（ｎ）の２ライン後の信号Ｃ（ｎ＋２）との類似度を示しうる第１の指標値と、該信号Ｃ（ｎ）の２ライン前の信号Ｃ（ｎ−２）との類似度を示しうる第２の指標値とを夫々求め、
前記第１の指標値と前記第２の指標値の大小関係に基づいて、前記信号Ｃ（ｎ）の１ライン後の信号Ｃ（ｎ＋１）と１ライン前の信号Ｃ（ｎ−１）のいずれか１つの選択をして、前記信号Ｃ（ｎ）に対応する、前記２種の色差信号のうちの他方の信号として出力することを特徴とするＳＥＣＡＭ映像信号処理方法。
【請求項２】
前記注目ラインｎにおける注目画素の信号である前記信号Ｃ（ｎ）について、前記第１の指標値と前記第２の指標値の差分をさらに求め、
前記差分の絶対値が所定の閾値以上であるときに、前記第１の指標値と前記第２の指標値の大小関係に基づいて前記選択をし、
前記差分の絶対値が前記所定の閾値より小さいときに、該注目ラインｎにおける１つ前の画素に対して選択されたラインと同一のラインの信号を選択して前記他方の信号として出力することを特徴とする請求項１に記載のＳＥＣＡＭ信号処理方法。
【請求項３】
前記所定の閾値は、異なる前記映像信号について、該映像信号にノイズが混入する可能性の大小に応じて異なる値に設定されることを特徴とする請求項２に記載のＳＥＣＡＭ信号処理方法。
【請求項４】
２種の色差信号が線順次方式で伝送され、各ラインの信号が前記２種の色差信号の片方である映像信号を１から４水平期間順次遅延させて注目ラインの信号Ｃ（ｎ）を含む５ラインの信号Ｃ（ｎ−２）から信号Ｃ（ｎ＋２）を出力する遅延部と、
前記信号Ｃ（ｎ）に対して、前記信号Ｃ（ｎ＋２）との類似度を示しうる第１の指標値と、前記信号Ｃ（ｎ−２）との類似度を示しうる第２の指標値とを夫々求める類似度算出部と、
前記第１の指標値と前記第２の指標値の大小関係に基づいて、前記信号Ｃ（ｎ＋１）と前記信号Ｃ（ｎ＋１）のいずれかを示すライン選択信号を生成するライン選択信号生成部と、
前記ライン選択信号に従って、前記信号Ｃ（ｎ＋１）と前記信号Ｃ（ｎ＋１）の片方を選択して、前記信号Ｃ（ｎ）に対応する、前記２種の色差信号のうちの他方の信号として出力する選択部とを備えることを特徴とするＳＥＣＡＭ映像信号処理装置。
【請求項５】
注目画素の前記信号Ｃ（ｎ）について、前記第１の指標値と前記第２の指標値の差分の絶対値を求める差分算出部と、
前記注目画素と同一のラインにおける１つ前の画素について前記ライン選択信号生成部が出力したライン選択信号を保持する保持部とをさらに備え、
前記ライン選択信号生成部は、
前記差分の絶対値が所定の閾値以上であるときに、前記第１の指標値と前記第２の指標値の大小関係に基づいて該注目画素の前記ライン選択信号を生成し、
前記差分の絶対値が前記所定の閾値より小さいときに、前記保持部に保持された前記ライン選択信号を該注目画素のライン選択信号として出力することを特徴とする請求項４に記載のＳＥＣＡＭ映像信号処理装置。
【請求項６】
前記所定の閾値は、異なる前記映像信号について、該映像信号にノイズが混入する可能性の大小に応じて異なる値に設定されていることを特徴とする請求項５に記載のＳＥＣＡＭ映像信号処理装置。
【発明の詳細な説明】
【技術分野】
【０００１】
本発明は、ＳＥＣＡＭ方式の映像信号に対して色差信号を補完する技術に関する。
【背景技術】
【０００２】
アナログのカラ−テレビ放送に関して、ＮＴＳＣ、ＰＡＬ、ＳＥＣＡＭなど、国や地域によって異なる方式が採用されており、これらの方式の映像信号の受信側の処理について、様々な視点からの技術が提案されている（特許文献１〜７）。
【０００３】
ＳＥＣＡＭ方式では、２つの色差信号（Ｒ−Ｙ）と（Ｂ−Ｙ）にそれぞれ所定の係数を乗じて色差信号ＤＲ、ＤＢとし、互いに異なる周波数の２つの色副搬送波で伝送する。これらの２つの色副搬送波は、色差信号ＤＲまたはＤＢによって変調される。以下において、２つの色副搬送波を色差信号によって周波数変調して得られる２つの変調信号をクロマ信号Ｃという。また、色差信号ＤＲに対応するクロマ信号Ｃを搬送色差信号ＤＲｃといい、色差信号ＤＢに対応するクロマ信号Ｃを搬送色差信号ＤＢｃという。なお、ＳＥＣＡＭ方式はコンポジット方式であるから、搬送色差信号ＤＲｃ及びＤＢｃは、輝度信号Ｙと多重された後にコンポジット映像信号として伝送される。
【０００４】
ＳＥＣＡＭ方式では、搬送色差信号ＤＲｃ及びＤＢｃが、線順次方式により、１ライン毎に交互に伝送される。すなわち、１つのラインについて、搬送色差信号ＤＲｃと搬送色差信号ＤＢｃは、いずれか一方しか存在しない。そのため、色復調した後にも、１つのラインについて、色差信号ＤＲと色差信号ＤＢは、いずれか一方しか存在しない。従って、ＳＥＣＡＭ方式の映像信号（以下ＳＥＣＡＭ映像信号という）の受信装置において、各ラインについて、存在しない側の色差信号を補完する処理が必要である。この処理は、「同時化処理」と呼ばれる。
【０００５】
同時化処理について、例えば、１ライン前（すなわち１ライン上）の色差信号をそのまま、注目ラインで不足している色差信号として使用する手法や、注目ラインと上下にそれぞれ隣接する２ラインの色差信号の平均値によって、注目ラインで不足している色差信号を補完する手法が知られている。
【０００６】
しかし、上述した手法では、色差信号の垂直解像度の低下が生じてしまうという問題がある。これを改良するための技術として、特許文献１には、色差信号の垂直方向の相関の大きさに応じて上下ラインの色差信号の混合比を決定し、当該混合比で混合された色差信号を、注目ラインで不足している色差信号として用いる手法が開示されている。
【０００７】
ここで、注目ライン（ラインｎとする）について、色差信号ＤＲ（ｎ）があり、色差信号ＤＢ（ｎ）を補完する必要がある場合を例にして、特許文献１に開示された手法の概要を説明する。なお、特許文献１には、上述した色差信号ＤＲとＤＢを夫々ＣｒとＣｂで表記しているが、ＳＥＣＡＭ信号について、処理途中の色差信号をＤＢとＤＲで表記するのが一般的であるため、特許文献１に対する以下の説明でも、処理途中の色差信号をＤＲとＤＢで表記する。
【０００８】
この手法は、まず、注目ライン（ラインｎとする）の色差信号ＤＲ（ｎ）と、２ライン後の色差信号ＤＲ（ｎ＋２）との類似度（第２の相関値）、及び、色差信号ＤＲ（ｎ）と、２ライン前の色差信号ＤＲ（ｎ−２）との類似度（第３の相関値）を求める。そして、第２の相関値に対する第３の相関値の相対的な大きさに応じて、注目ラインの１ライン後の色差信号ＤＢ（ｎ＋１）と１ライン前の色差信号ＤＢ（ｎ−１）との混合比率を決定し、決定された混合比率で色差信号ＤＢ（ｎ＋１）とＤＢ（ｎ−１）を混合する。これにより得られた信号は、注目ラインの色差信号ＤＢ（ｎ）となる。
【先行技術文献】
【特許文献】
【０００９】
【特許文献１】特開２０１０−０３４８３２号公報
【特許文献２】特開２００６−１０８７７９号公報
【特許文献３】特開平０６−０５４３３８号公報
【特許文献４】特開２００２−０５８０４３号公報
【特許文献５】特開平０８−２６５７９１号公報
【特許文献６】特開２００５−２５２４８３号公報
【特許文献７】特開２００２−１８５９７５号公報
【発明の概要】
【発明が解決しようとする課題】
【００１０】
ここで、図１３に示すような静止した画像の信号に対して同時化処理を行う場合を考える。図１３において、「入力信号」とは、受信したＳＥＣＡＭ映像信号を色復調して得た色差信号（ＤＲまたはＤＢ）を示し、ライン番号は、フレーム毎の伝送順である。また、入力信号の値を示す欄において、値の前における網状の矩形（「青色データ」と注釈記載）は、該値が青色の色差値であることを示し、値の後ろにおける斜線の矩形（「赤色データ」と注釈記載）は、該値が赤色の色差値であることを示す。また、各色差信号の値に付された「ｉ」は、入力（ｉｎｐｕｔ）値であることを示す。これらについて、以下の各図面においても同様である。なお、図１３において、青色データまたは赤色データの値は、色の濃さによって必ずしも同一とは限らない。
【００１１】
ＳＥＣＡＭ方式では、水平方向の走査線数が６２５本である。すなわち、１フレームにつき６２５ラインがある。また、１つのフレームは、奇数ラインで構成されたフィールドと、偶数ラインで構成されたフィールドとに分けられ、フィールド毎に伝送される。そのため、ラインの伝送順は、フレームにおけるラインの垂直方向における位置順とは異なる。本明細書においては、ラインの番号をフレーム毎の伝送順で表している。従って、奇数フィールドのラインの番号は、１〜３１３の範囲内の値になり、偶数フィールドのラインの番号は、３１４〜６２５の範囲内の値になる。
【００１２】
図１３に示す例では、第１のフィールドと第３のフィールドにおいて、ライン（ｎ＋２）までは青色であり、ライン（ｎ＋３）以降は赤色である。また、第２のフィールと第４のフィールドにおいて、ライン（ｎ＋３１５）までは青色であり、ライン（ｎ＋３１６）以降は赤色である。
【００１３】
図１３に示す信号の同期化処理に際して、１ライン前の色差信号をそのまま、注目ラインで不足している色差信号として使用する手法を用いると、同時化処理後の信号は、図１４に示すようになる。図１４において、「出力信号」とは、同時化処理後の色差信号を意味し、元々存在する色差信号と、補完により得られた色差信号を含む。なお、図１４及び以下の説明において、上記「出力信号」を「出力色差信号」ともいい、「ＤＲｏ」と「ＤＢｏ」で表記する。
【００１４】
図１４に示すように、この手法によれば、第１フィールドと第３フィールドのライン（ｎ＋３）、第２フィールドと第４フィールドのライン（ｎ＋３１６）において、青色の色差信号と赤色の色差信号が混在する。また、ライン（ｎ＋３）について、第１フィールドでは、出力色差信号ＤＲｏが青色の色差信号ＤＲｉ（ｎ＋２）、出力色差信号ＤＢｏが赤色の色差信号ＤＢｉ（ｎ＋３）であるのに対して、第３フィールドでは、出力色差信号ＤＲｏが赤色の色差信号ＤＲｉ（ｎ＋３）、出力色差信号ＤＢｏが青色の色差信号ＤＢｉ（ｎ＋２）である。ライン（ｎ＋３１６）についても、第２フィールドでは、出力色差信号ＤＲｏが赤色の色差信号ＤＲｉ（ｎ＋３１６）、出力色差信号ＤＢｏが青色の色差信号ＤＢｉ（ｎ＋３１５）であるのに対して、第４フィールドでは、出力色差信号ＤＲｏが青色の色差信号ＤＲｉ（ｎ＋３１５）、出力色差信号ＤＢｏが赤色の色差信号ＤＢｉ（ｎ＋３１６）である。
【００１５】
すなわち、同一ライン（例えば、第１フィールドのライン（ｎ＋３）と第３フィールドのライン（ｎ＋３）や、第２フィールドのライン（ｎ＋３１６）と第５フィールドのライン（ｎ＋３１６））が互いに異なる色になってしまう。
【００１６】
このような信号を表示装置に表示すると、静止画にも関わらず、ライン（ｎ＋３）やライン（ｎ＋３１６）では、フリッカ（ちらつき）が見えてしまう。
【００１７】
また、特許文献１の手法によると、例えば第１フィールドのライン（ｎ＋３）について、青色の色差信号ＤＲｉ（ｎ＋２）と赤色の色差信号ＤＲｉ（ｎ＋４）を混合することにより、ライン（ｎ＋３）の色差信号ＤＲを補完するため、第１フィールドのライン（ｎ＋３）の画質が低下してしまう。第３フィールドのライン（ｎ＋３）、第２フィールドと第４フィールドのライン（ｎ＋３１６）についても、同様である。
【００１８】
なお、特許文献１に開示された手法は、注目ラインの色差信号と、注目ラインの２ライン後の色差信号との類似度（第２の相関値）、及び、注目ラインの色差信号と、注目ライン２ライン前の色差信号との類似度（第３の相関値）を求め、この２つの類似度の大小関係に基づいて、注目ラインの１ライン後の色差信号と１ライン前の色差信号との混合比率を調整している。そのため、上記２つの類似度の大小関係次第では、１ライン後の色差信号と１ライン前の色差信号のいずれか片方の重みがゼロとなる混合比もあり得るが、色の濃さ（信号のレベル）によっては、例えば、図１３に示す信号に対して、注目ラインのライン（ｎ＋３）についてＤＲｉ（ｎ＋３）を補完する際に、図１３に示す第１フィールドのＤＢｉ（ｎ＋１）とＤＢｉ（ｎ＋３）の類似度（第２の相関値）と、ＤＢｉ（ｎ＋３）とＤＢｉ（ｎ＋５）の類似度（第３の相関値）の大小関係は、必ずＤＲｉ（ｎ＋２）とＤＲｉ（ｎ＋４）のいずれか片方の重みがゼロとなる混合比を導き出させるとは限らない。したがって、ＤＲｉ（ｎ＋３）としては、青色のＤＲｉ（ｎ＋２）と赤色のＤＲｉ（ｎ＋４）を混合した値になってしまい、第３フィールドのＤＲｉ（ｎ＋３）と異なる値となるため、フリッカとして見えてしまう場合がある。
【００１９】
本発明は、上記事情に鑑みてなされたものであり、図１３に示すような入力信号に対しても良い画質効果を得ることができる同時化処理技術を提供する。
【課題を解決するための手段】
【００２０】
本発明の１つの態様は、ＳＥＣＡＭ映像信号処理方法である。この方法は、２種の色差信号が線順次方式で伝送され、注目ラインｎの信号Ｃ（ｎ）が前記２種の色差信号の片方である映像信号における前記注目ラインの信号Ｃ（ｎ）に対して、該信号Ｃ（ｎ）の２ライン後の信号Ｃ（ｎ＋２）との類似度を示しうる第１の指標値と、該信号Ｃ（ｎ）の２ライン前の信号Ｃ（ｎ−２）との類似度を示しうる第２の指標値とを夫々求める。そして、前記第１の指標値と前記第２の指標値の大小関係に基づいて、前記信号Ｃ（ｎ）の１ライン後の信号Ｃ（ｎ＋１）と１ライン前の信号Ｃ（ｎ−１）のいずれか１つの選択をして、前記信号Ｃ（ｎ）に対応する、前記２種の色差信号のうちの他方の信号として出力する。
【００２１】
なお、上記態様の方法を装置やシステムに置換えて表示したものや、上記方法をコンピュータに実行せしめるプログラムなども、本発明の態様としては有効である。
【発明の効果】
【００２２】
本発明にかかる技術によれば、図１３に示すような入力信号に対しても良い画質効果を得ることができる。
【図面の簡単な説明】
【００２３】
【図１】本発明の第１の実施の形態にかかるＳＥＣＡＭ映像信号処理装置を示す図である。
【図２】図１に示すＳＥＣＡＭ映像信号処理装置における同時化部を示す図である。
【図３】図２に示す同時化部におけるライン選択信号生成部を示す図である。
【図４】入力色差信号の例を示す図である（その１）。
【図５】入力色差信号の例を示す図である（その２）。
【図６】図４と図５に示す入力色差信号に対して、図２に示す同時化部により補完した出力色差信号を示す図である。
【図７】図２に示す同時化部の動作を説明するための図である。
【図８】図２に示す同時化部が図１３に示す信号に対して得た出力信号を示す図である。
【図９】本発明の第２の実施の形態にかかるＳＥＣＡＭ映像信号処理装置におけるライン選択信号生成部を示す図である。
【図１０】図９に示すライン選択信号生成部の動作を示すための図である。
【図１１】本発明の第２の実施の形態にかかるＳＥＣＡＭ映像信号処理装置の効用を説明するための図である（その１）。
【図１２】本発明の第２の実施の形態にかかるＳＥＣＡＭ映像信号処理装置の効用を説明するための図である（その２）。
【図１３】ＳＥＣＡＭ映像信号に含まれる色差信号の例を示す図である。
【図１４】従来技術の問題点を説明するための図である。
【発明を実施するための形態】
【００２４】
以下、図面を参照して本発明の実施の形態について説明する。説明の明確化のため、以下の記載及び図面は、適宜、省略、及び簡略化がなされている。また、様々な処理を行う機能ブロックとして図面に記載される各要素は、ハードウェアとソフトウェア（プログラム）の組合せによって、いろいろな形で実現できることは当業者には理解されるところであり、ハードウェアとソフトウェアのいずれかに限定されるものではない。なお、各図面において、同一の要素には同一の符号が付されており、必要に応じて重複説明は省略されている。
【００２５】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２６】
＜第１の実施の形態＞
図１は、本発明の第１の実施の形態にかかるＳＥＣＡＭ映像信号処理装置１００を示す。ＳＥＣＡＭ映像信号処理装置１００は、ＳＥＣＡＭ方式のアナログコンポジット映像信号ＣＶＢＳが入力され、輝度信号Ｙと２種類の色差信号（Ｒ−Ｙ）及び（Ｂ−Ｙ）を出力するものであり、Ａ／Ｄコンバータ（ＡＤＣと表記する）１１０、同期処理部１１２、Ｙ／Ｃ分離部１２０、遅延回路１２４、色復調部１２６、同時化部１３０、出力処理部１２８を備える。
【００２７】
ＡＤＣ１１０は、アナログコンポジット映像信号ＣＶＢＳを所定のシステムクロックによりサンプリングして、同期処理部１１２とＹ／Ｃ分離部１２０に出力する。
【００２８】
Ｙ／Ｃ分離部１２０は、ＡＤＣ１１０から得たサンプリングデータを、輝度信号Ｙ、搬送色差信号ＤＲｃ、搬送色差信号ＤＢｃに分離する。輝度信号Ｙは、遅延回路１２４に出力され、搬送色差信号ＤＲｃと搬送色差信号ＤＢｃは、色復調部１２６に出力される。
【００２９】
遅延回路１２４は、輝度信号Ｙに所定の遅延を与えてから出力処理部１２８に出力する。色復調部１２６は、搬送色差信号ＤＲｃ及び搬送色差信号ＤＢｃから色差信号ＤＲと色差信号ＤＢを復調して同時化部１３０に出力する。
【００３０】
前述したように、ＳＥＣＡＭ方式では、色差信号ＤＲ及びＤＢは線順次でライン毎に交互に伝送される。そのため、色復調部１２６の出力する信号には、ライン毎にＤＲ及びＤＢが交互に含まれている。以下において、色復調部１２６から出力され、同時化部１３０に入力される色差信号を「入力色差信号」といい、「ＤＲｉ」及び「ＤＢｉ」で表記する。
【００３１】
同時化部１３０は、ライン毎に不足している色差信号を補完して、２種類の色差信号（出力色差信号ＤＲｏと、出力色差信号ＤＢｏ）をライン毎に出力する。前述したように、出力色差信号ＤＲｏと出力色差信号ＤＢｏは、色復調部１２６により得られた入力色差信号と、同時化部１３０が補完により得られた色差信号を含む。
【００３２】
同期処理部１１２は、ＡＤＣ１１０によりサンプリングされたデータから、垂直同期信号Ｖｓｙｎｃ及び水平同期信号Ｈｓｙｎｃを検出する。なお、同期処理部１１２は、検出した水平同期信号Ｈｓｙｎｃに基づいて同時化部１３０にタイミング信号Ｓ１を出力する。このタイミング信号Ｓ１は、出力色差信号ＤＲｏまたは出力色差信号ＤＢｏとして、元々ある色差信号（色復調部１２６により得られた入力色差信号）と、同時化部１３０の補完により得られた色差信号のいずれかを選択する信号であり、以下データ選択信号という。
【００３３】
出力処理部１２８は、遅延回路１２４からの輝度信号Ｙ、同時化部１３０からの出力色差信号ＤＲｏと出力色差信号ＤＢｏに対して、視覚的な補正処理、サンプリングレート変換などの各種画像処理を実行し、処理後の輝度信号Ｙ、色差信号（Ｒ−Ｙ）と（Ｂ−Ｙ）を出力する。
【００３４】
図２は、ＳＥＣＡＭ映像信号処理装置１００における同時化部１３０を示す図である。なお、遅延回路１２４が出力する輝度信号Ｙと、同時化部１３０が出力する色差信号（ＤＲｏ、ＤＢｏ）のタイミング関係が分かるように、図２は、遅延回路１２４、及び遅延回路１２４の入出力信号も示している。
【００３５】
図２に示すように、同時化部１３０は、４つの遅延回路（１３２、１３４、１３６、１３８）、ライン選択信号生成部１４０、３つのセレクタ（１６０、１６２、１６４）を備える。遅延回路１２４は、遅延回路１２１と遅延回路１２３を有する。
【００３６】
遅延回路１２４に含まれる２つの遅延回路（１２１、１２３）、同時化部１３０に含まれる４つの遅延回路（１３２、１３４、１３６、１３８）は、夫々１水平期間だけ入力信号を遅延させる。説明上の便宜のため、同時化部１３０への入力色差信号ＤＲｉをライン（ｎ＋２）の色差信号ＤＲｉ（ｎ＋２）であるとする。従って、遅延回路１３２〜遅延回路１３８の出力は、夫々ＤＢｉ（ｎ＋１）、ＤＲｉ（ｎ）、ＤＢｉ（ｎ−１）、ＤＲｉ（ｎ−２）となる。
【００３７】
セレクタ１６０は、注目ライン（ここではライン（ｎ））の不足している色差信号として、１ライン前と１ライン後のいずれかの色差信号を選択してセレクタ１６２とセレクタ１６４に出力する。すなわち、ここの例では、セレクタ１６０は、出力色差信号ＤＢｏ（ｎ）として、ＤＢｉ（ｎ＋１）とＤＢｉ（ｎ−１）のいずれかを選択する。
【００３８】
セレクタ１６０は、注目ラインの１つ前と１つ後のいずれかのラインを示すライン選択信号Ｓ２に従って、ＤＢｉ（ｎ＋１）とＤＢｉ（ｎ−１）のいずれかを選択する。このライン選択信号Ｓ２は、ライン選択信号生成部１４０により生成され、セレクタ１６０に供される。
【００３９】
図３は、ライン選択信号生成部１４０を示す図である。ライン選択信号生成部１４０
は、類似度算出部１４２、類似度算出部１４４、比較器１４６を備える。
【００４０】
類似度算出部１４２は、入力色差信号ＤＲｉ（ｎ＋２）とＤＲｉ（ｎ）が入力され、該２つの入力色差信号の差分の絶対値Ａを出力する。以下、絶対値Ａを、入力色差信号ＤＲｉ（ｎ＋２）とＤＲｉ（ｎ）の類似度を示しうる第１の指標値という。
【００４１】
類似度算出部１４４は、入力色差信号ＤＲｉ（ｎ）と入力色差信号ＤＲｉ（ｎ−２）が入力され、該２つの入力色差信号の差分の絶対値Ｂを出力する。以下、絶対値Ｂを、入力色差信号ＤＲｉ（ｎ）と入力色差信号ＤＲｉ（ｎ−２）の類似度を示しうる第２の指標値という。
【００４２】
比較器１４６は、第１の指標値Ａと第２の指標値Ｂを比較すると共に、それらの大小関係に基づいてライン選択信号Ｓ２を出力する。具体的には、第１の指標値Ａが第２の指標値Ｂ以上であるとき、すなわち、入力色差信号ＤＲｉ（ｎ＋２）とＤＲｉ（ｎ）の類似度が入力色差信号ＤＲｉ（ｎ）と入力色差信号ＤＲｉ（ｎ−２）の類似度以下であるとき、比較器１４６は、ライン選択信号Ｓ２として「０」を出力する。一方、第１の指標値Ａが第２の指標値Ｂより小さいとき、比較器１４６は、ライン選択信号Ｓ２として「１」を出力する。なお、本実施の形態において、「１」となるライン選択信号Ｓ２は、注目ラインの１つ後のラインを示し、「０」となるライン選択信号Ｓ２は、注目ラインの１つ前のラインを示す。
【００４３】
前述したように、同時化部１３０のセレクタ１６０は、ライン選択信号Ｓ２に従って、１ライン前と１ライン後のいずれかの色差信号を選択してセレクタ１６２とセレクタ１６４に出力する。そのため、第１の指標値Ａが第２の指標値Ｂ以上であり、ライン選択信号Ｓ２が「０」であるときには、セレクタ１６０は、出力色差信号ＤＢｏ（ｎ）として、ＤＢｉ（ｎ−１）を選択する。また、第１の指標値Ａが第２の指標値Ｂより小さく、ライン選択信号Ｓ２が「１」であるときには、セレクタ１６０は、出力色差信号ＤＢｏ（ｎ）として、ＤＢｉ（ｎ＋１）を選択する。
【００４４】
第１の指標値Ａと第２の指標値Ｂの大小関係と、ライン選択信号Ｓ２、セレクタ１６０の出力（ＤＢｏ（ｎ））間の対応関係を数式で示すと、下記の式（１）になる。
【数１】
2013090287.tif 000003
【００４５】
また、式（１）における第１の指標値Ａと第２の指標値Ｂを入力色差信号の値で具体的に示すと、式（１）は、下記の式（２）になる。
【数２】
2013090287.tif 000004
【００４６】
例えば、図４と図５に示す入力色差信号が色復調部１２６から供給されたとする。図４に示すように、入力色差信号ＤＲｉ（ｎ）と入力色差信号ＤＲｉ（ｎ−２）は、ほぼ同様であり、入力色差信号ＤＲｉ（ｎ＋２）は、入力色差信号ＤＲｉ（ｎ）及び入力色差信号ＤＲｉ（ｎ−２）と異なる。また、図５に示すように、入力色差信号ＤＢｉ（ｎ−１）は、入力色差信号ＤＢｉ（ｎ＋１）と異なる。
【００４７】
図４と図５に示す入力色差信号が色復調部１２６から供給されると、セレクタ１６０は、図６に示すように、出力色差信号ＤＢｏ（ｎ）として、入力色差信号ＤＢｉ（ｎ−１）を選択して出力する。
【００４８】
分かりやすいように、第１の指標値Ａと第２の指標値Ｂの大小関係と、ライン選択信号Ｓ２、及びセレクタ１６０の出力との対応関係を図７に示す。
【００４９】
図７に示すように、第１の指標値Ａが第２の指標値Ｂ以上（Ａ≧Ｂ）であるときに、ライン選択信号Ｓ２は、１つ前のラインを示す「０」であり、セレクタ１６０の出力（出力色差信号ＤＢｏ（ｎ））は、１つ前のラインの入力色差信号ＤＢｉ（ｎ−１）である。
【００５０】
一方、第１の指標値Ａが第２の指標値Ｂより小さい（Ａ＜Ｂ）ときに、ライン選択信号Ｓ２は、１つ後のラインを示す「１」であり、セレクタ１６０の出力（出力色差信号ＤＢｏ（ｎ））は、１つ後のラインの入力色差信号ＤＢｉ（ｎ＋１）である。
【００５１】
なお、式（１）、式（２）、図７において、第１の指標値Ａと第２の指標値Ｂが等しい場合に、１つ前のラインが選択されるようになっているが、この場合、１つ後のラインが選択されるようにしてもよい。
【００５２】
ここまで、注目ライン（ラインｎ）について色復調部１２６から供給された入力色差信号がＤＲｉ（ｎ）である場合を説明した。注目ラインについて色復調部１２６から供給される入力色差信号がＤＢｉ（ｎ）である場合は、第１の指標値Ａと第２の指標値Ｂの大小関係と、ライン選択信号Ｓ２、セレクタ１６０の出力（この場合はＤＲｏ（ｎ））間の対応関係は、下記の式（３）に示すようになる。
【数３】
2013090287.tif 000005
【００５３】
また、式（３）における第１の指標値Ａと第２の指標値Ｂを入力色差信号の値で具体的に示すと、式（３）は、下記の式（４）になる。
【数４】
2013090287.tif 000006
【００５４】
図２に戻ってセレクタ１６２とセレクタ１６４を説明する。セレクタ１６２とセレクタ１６４は共に同期処理部１１２からのデータ選択信号Ｓ１に応じて動作する。具体的には、図２に示す例のように注目ライン（ラインｎ）について色復調部１２６から入力色差信号ＤＲｉ（ｎ）が供給されたときに、セレクタ１６２は該入力色差信号ＤＲｉ（ｎ）を出力色差信号ＤＲｏ（ｎ）として選択して出力する。それと同時に、セレクタ１６４は、セレクタ１６０によって入力色差信号ＤＢｉ（ｎ＋１）または入力色差信号ＤＢｉ（ｎ−１）いずれかを選択された信号を、出力色差信号ＤＢｏ（ｎ）として出力する。
【００５５】
一方、注目ライン（ラインｎ）について色復調部１２６から入力色差信号ＤＢｉ（ｎ）が供給されたときに、セレクタ１６４は該入力色差信号ＤＢｉ（ｎ）を出力色差信号ＤＢｏ（ｎ）として選択して出力する。それと同時に、セレクタ１６２は、セレクタ１６０によって入力色差信号ＤＲｉ（ｎ＋１）または入力色差信号ＤＲｉ（ｎ−１）いずれかを選択された信号を、出力色差信号ＤＲｏ（ｎ）として出力する。
【００５６】
同時化部１３０からの出力色差信号ＤＲｏ（ｎ）と出力色差信号ＤＢｏ（ｎ）は、出力処理部１２８に出力される。同時に、遅延回路１２４からの輝度信号Ｙ（ｎ）も、出力処理部１２８に出力される。
【００５７】
図８は、第１フィールド、第３フィールドにおいて、ライン（ｎ＋２）までと、第２フィールド、第４フィールドにおいて、ライン（ｎ＋３１５）までの上側が青色でそれ以降の下側が赤色となる図１３のような静止画の入力信号が入力された場合に、ＳＥＣＡＭ映像信号処理装置１００における同時化部１３０が出力した出力色差信号ＤＲｏと出力色差信号ＤＢｏを示す。
【００５８】
まず、第１フィールドについて説明する。
該フィールドにおいて、ライン（ｎ）が注目ラインであるときに、入力色差信号ＤＲｉ（ｎ）は、そのまま出力色差信号ＤＲｏ（ｎ）として出力される。一方、ライン（ｎ）の前の２ラインと後の２ラインは共に同様の青色データであり、入力色差信号ＤＲｉ（ｎ＋２）と入力色差信号ＤＲｉ（ｎ−２）は同値である。そのため、出力色差信号ＤＢｏ（ｎ）として、入力色差信号ＤＢｉ（ｎ−１）が選択されて出力される。
【００５９】
注目ラインがライン（ｎ＋１）であるときに、入力色差信号ＤＢｉ（ｎ＋１）は、そのまま出力色差信号ＤＢｏ（ｎ＋１）として出力される。一方、入力色差信号ＤＢｉ（ｎ＋１）と入力色差信号ＤＢｉ（ｎ＋３）とは異なる値であり、入力色差信号ＤＢｉ（ｎ＋１）と入力色差信号ＤＢｉ（ｎ−１）とは同じ値であるため、出力色差信号ＤＲｏ（ｎ＋１）としては、入力色差信号ＤＲｉ（ｎ）が選択されて出力される。
【００６０】
同様に、ライン（ｎ＋２）について、入力色差信号ＤＲｉ（ｎ＋２）は、そのまま出力色差信号ＤＲｏ（ｎ＋２）として出力される。一方、出力色差信号ＤＢｏ（ｎ＋２）としては、入力色差信号ＤＢｉ（ｎ＋１）が選択されて出力される。
【００６１】
注目ラインがライン（ｎ＋３）であるときに、入力色差信号ＤＢｉ（ｎ＋３）は、そのまま出力色差信号ＤＢｏ（ｎ＋３）として出力される。一方、入力色差信号ＤＢｉ（ｎ＋３）と入力色差信号ＤＢｉ（ｎ＋１）とは異なる値であり、入力色差信号ＤＢｉ（ｎ＋３）と入力色差信号ＤＢｉ（ｎ＋５）とは同じ値であるため、出力色差信号ＤＲｏ（ｎ＋３）としては、入力色差信号ＤＲｉ（ｎ＋４）が選択されて出力される。
【００６２】
同様に、ライン（ｎ＋４）について、入力色差信号ＤＲｉ（ｎ＋４）は、そのまま出力色差信号ＤＲｏ（ｎ＋４）として出力される。一方、出力色差信号ＤＢｏ（ｎ＋４）としては、入力色差信号ＤＢｉ（ｎ＋５）が選択されて出力される。
【００６３】
ライン（ｎ＋５）について、入力色差信号ＤＢｉ（ｎ＋５）は、そのまま出力色差信号ＤＢｏ（ｎ＋５）として出力される。一方、ライン（ｎ＋５）の前の２ラインと後の２ラインは共に同様の赤色データであり、入力色差信号ＤＢｉ（ｎ＋７）と入力色差信号ＤＢｉ（ｎ＋３）は同値である。そのため、出力色差信号ＤＲｏ（ｎ＋５）として、入力色差信号ＤＲｉ（ｎ＋４）が選択されて出力される。
【００６４】
第２フィールド以降の各ラインについても、同様な処理が行われる。その結果、図８から分かるように、第１フィールドと第３フィールドのライン（ｎ＋３）、第２フィールドと第４フィールドのライン（ｎ＋３１６）において、青色と赤色のデータは混在していない。これにより、図１３に示すような信号の場合においても、フリッカの発生を回避する。
【００６５】
＜第２の実施の形態＞
本発明の第２の実施の形態も、ＳＥＣＡＭ映像信号処理装置である。このＳＥＣＡＭ映像信号処理装置は、図１に示す第１のＳＥＣＡＭ映像信号処理装置１００とは、同時化部におけるライン選択信号生成部のみが異なる。そのため、第２の実施の形態のＳＥＣＡＭ映像信号処理装置について、図９に示すライン選択信号生成部２００についてのみ説明する。また、図９において、ＳＥＣＡＭ映像信号処理装置１００の同時化部１３０におけるライン選択信号生成部１４０と同様の機能ブロックについて同様の符号を使用し、それらの詳細な説明を省略する。
【００６６】
図９に示すように、ライン選択信号生成部２００は、類似度算出部１４２、類似度算出部１４４、比較器１４６、差分算出部２１０、比較器２１２、セレクタ２１４、保持部２１６を備える。比較器１４６が出力する信号Ｓ３は、図３に示すライン選択信号生成部１４０における比較器１４６が出力するライン選択信号Ｓ２と同様であるが、本実施の形態において、比較器１４６からの信号は、直接セレクタ１６０に出力されないため、ここではライン選択信号Ｓ３という。また、本実施の形態において、セレクタ２１４からの信号は、直接セレクタ１６０に出力されるため、セレクタ２１４からの信号をライン選択信号Ｓ２という。
【００６７】
ライン選択信号生成部２００において、類似度算出部１４２が算出した第１の指標値Ａと、類似度算出部１４４が算出した第２の指標値Ｂは、比較器１４６に出力されると共に、差分算出部２１０にも出力される。
【００６８】
差分算出部２１０は、第１の指標値Ａと第２の指標値Ｂの差分の絶対値（以下差分絶対値という）Ｄを算出して比較器２１２に出力する。
【００６９】
比較器２１２には、差分算出部２１０からの差分絶対値Ｄ以外に、閾値Ｔが入力される。この閾値Ｔは、予め設定された値である。
【００７０】
比較器２１２は、差分絶対値Ｄと閾値Ｔとを比較して、比較結果に応じた選択信号Ｓ４をセレクタ２１４に出力する。例えば、差分絶対値Ｄが閾値Ｔ以上であるときには、「１」となる選択信号Ｓ４を出力し、差分絶対値Ｄが閾値Ｔより小さいときには「０」となる選択信号Ｓ４を出力する。
【００７１】
セレクタ２１４には、比較器１４６からのライン選択信号Ｓ３と、保持部２１６からの後述する信号ＦＳ２と、比較器２１２からの選択信号Ｓ４とが入力される。セレクタ２１４は、選択信号Ｓ４に応じて、ライン選択信号Ｓ３と信号ＦＳ２の片方を選択してライン選択信号Ｓ２として出力する。このライン選択信号Ｓ２は、セレクタ１６０に出力され、第１の実施の形態の同時化部１３０におけるライン選択信号生成部１４０が出力したライン選択信号Ｓ２と同様の作用をする。
【００７２】
本実施の形態において、セレクタ２１４が注目画素に対して出力したライン選択信号Ｓ２は、保持部２１６にも出力される。保持部２１６は、このライン選択信号Ｓ２を保持して、同じラインにおける次の注目画素のときにセレクタ２１４に出力する。すなわち、保持部２１６からセレクタ２１４に出力する信号ＦＳ２は、現在の注目画素と同一ラインにおける１つ前の画素のライン選択信号Ｓ２である。以下において、信号ＦＳ２を前画素ライン選択信号という。
【００７３】
図１０を参照してセレクタ２１４の処理を具体的に説明する。図１０に示すように、セレクタ２１４は、選択信号Ｓ４が「１」であるとき、すなわち差分絶対値Ｄが閾値Ｔ以上であるときに、比較器１４６からのライン選択信号Ｓ３を選択してライン選択信号Ｓ２として出力する。つまり、差分絶対値Ｄが閾値Ｔ以上であるときには、ライン選択信号生成部２００は、ＳＥＣＡＭ映像信号処理装置１００の同時化部１３０におけるライン選択信号生成部１４０と同様の動作をする。
【００７４】
一方、選択信号Ｓ４が「０」であるとき、すなわち差分絶対値Ｄが閾値Ｔより小さいときには、セレクタ２１４は、保持部２１６からの前画素ライン選択信号ＦＳ２を選択ライン選択信号Ｓ２として出力する。つまり、差分絶対値Ｄが閾値Ｔより小さいときには、ライン選択信号生成部２００は、同じラインにおける１つ前の画素について出力したライン選択信号Ｓ２と同様のライン選択信号Ｓ２を出力する。
【００７５】
ライン選択信号生成部２００の動作は、下記の式（５）により示すことができる。
【数５】
2013090287.tif 000007
【００７６】
このようなライン選択信号生成部２００を備えることにより、本第２の実施の形態のＳＥＣＡＭ映像信号処理装置は、注目ラインにおける注目画素に対して、不足している入力色差信号を補完する際に、差分絶対値Ｄが閾値Ｔ以上であるときには、ＳＥＣＡＭ映像信号処理装置１００と同様に、第１の指標値Ａと第２の指標値Ｂの大小関係に基づいて、注目ラインの１つ前のラインと１つ後のラインのいずれか片方の、注目画素と同様の水平位置の画素の入力色差信号を選択して、該注目画素の不足している色差信号として出力する。一方、差分絶対値Ｄが閾値Ｔ以下であるときには、該注目画素と同一のライン（注目ライン）における１つ前の画素に対して選択したラインと同様のラインの、注目画素と同様の水平位置の画素の入力色差信号を選択して、該注目画素の不足している色差信号として出力する。
【００７７】
図１１と図１２を参照して、本第２の実施の形態にかかるＳＥＣＡＭ映像信号処理装置の効果を説明する。
【００７８】
図１１は、図４に示す入力色差信号のうちの入力色差信号ＤＲｉ（ｎ）にノイズ（図中折れ線）が混入した場合を示している。ノイズが混入していない場合、該位置の画素について、第１の指標値Ａ（｜ＤＲｉ（ｎ＋２）−ＤＲｉ（ｎ）｜）は、第２の指標値Ｂ（｜ＤＲｉ（ｎ）−ＤＲｉ（ｎ−２）｜）以上であるため、図５に示すように、出力色差信号ＤＢｏ（ｎ）として、１つ前のライン（ｎ−１）の出力色差信号ＤＢｏ（ｎ−１）が選択される。
【００７９】
ところが、図１１に示すように、ノイズの混入により、当該画素位置における画素について、第１の指標値Ａと第２の指標値Ｂが近づき、ノイズの強度によっては、第１の指標値Ａが第２の指標値Ｂより小さくなる可能性もある。このような場合、ＳＥＣＡＭ映像信号処理装置１００によると、図１２に示すように、これらの画素位置の画素について、出力色差信号ＤＢｏ（ｎ）として、１つ後のライン（ｎ＋１）の出力色差信号ＤＢｏ（ｎ＋１）が選択されてしまう。
【００８０】
一方、本第２の実施の形態のＳＥＣＡＭ映像信号処理装置は、第１の指標値Ａと第２の指標値Ｂの差分絶対値Ｄが閾値Ｔより小さいときに、第１の指標値Ａと第２の指標値Ｂに基づいた選択の代わりに、同一のラインの１つ前の画素の選択を継承する。これにより、図１１に示すようなノイズが発生しても、適切な選択ができる。
【００８１】
以上、実施の形態をもとに本発明を説明した。実施の形態は例示であり、本発明の主旨から逸脱しない限り、上述した実施の形態に対してさまざまな変更、増減を行ってもよい。これらの変更、増減が行われた変形例も本発明の範囲にあることは当業者に理解されるところである。
【００８２】
例えば、上記において、第１と第２の実施の形態の映像信号処理装置がデジタル回路である場合について説明したが、映像信号処理装置の少なくとも一部をアナログ回路で構成してもよい。
【００８３】
また、第２の実施の形態のＳＥＣＡＭ映像信号処理装置において、閾値Ｔとして、異なるＳＥＣＡＭ映像信号について、該映像信号にノイズが混入する可能性の大小に応じて異なる値に設定されるようにしてもよい。例えば、セルビデオ等を映像再生機器で再生した信号は、放送信号と比べて、ノイズが混入する可能性が少ない。そのため、セルビデオ等を映像再生機器で再生した信号に対して設定する閾値の値を、放送信号に対して設定する閾値の値より小さい値を設定することが好ましい。
【符号の説明】
【００８４】
１００  ＳＥＣＡＭ映像信号処理装置
１１０  ＡＤＣ
１１２  同期処理部
１２０  Ｙ／Ｃ分離部
１２１  遅延回路
１２３  遅延回路
１２４  遅延回路
１２６  色復調部
１２８  出力処理部
１３０  同時化部
１３２  遅延回路
１３４  遅延回路
１３６  遅延回路
１３８  遅延回路
１４０  ライン選択信号生成部
１４２  類似度算出部
１４４  類似度算出部
１４６  比較器
１６０  セレクタ
１６２  セレクタ
１６４  セレクタ
２００  ライン選択信号生成部
２１０  差分算出部
２１２  比較器
２１４  セレクタ
２１６  保持部
Ａ  第１の指標値
Ｂ  第２の指標値
Ｃ  クロマ信号
Ｄ  差分絶対値
Ｔ  閾値
ＦＳ２  前画素ライン選択信号
Ｓ１  データ選択信号
Ｓ２  ライン選択信号
Ｓ３  ライン選択信号
Ｓ４  選択信号
ＤＲｃ  搬送色差信号
ＤＢｃ  搬送色差信号
ＤＲｉ  入力色差信号
ＤＢｉ  入力色差信号
ＤＲｏ  出力色差信号
ＤＢｏ  出力色差信号
（Ｒ−Ｙ）  色差信号
（Ｂ−Ｙ）  色差信号
Ｙ  輝度信号
【図１】
2013090287.tif 000008
【図２】
2013090287.tif 000009
【図３】
2013090287.tif 000010
【図４】
2013090287.tif 000011
【図５】
2013090287.tif 000012
【図６】
2013090287.tif 000013
【図７】
2013090287.tif 000014
【図８】
2013090287.tif 000015
【図９】
2013090287.tif 000016
【図１０】
2013090287.tif 000017
【図１１】
2013090287.tif 000018
【図１２】
2013090287.tif 000019
【図１３】
2013090287.tif 000020
【図１４】
2013090287.tif 000021